【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
最外面シートと、この最外面シートの内面に固定された内面側シートと、この内面側シートの内面側に設けられた吸収体を有する吸収性物品において、
前記内面側シートが皺寄せされるとともに、その内面側シートの皺によって最外面シートに凹凸が形成されており、且つ前記内面側シートの皺が前記最外面シートを通して視認可能である、ことを特徴とする吸収性物品。
【請求項２】
前記最外面シートが伸縮性を有する不織布シートであり、前記内面側シートが前記最外面シートよりも伸縮性に乏しい液不透過性シートである、請求項１記載の吸収性物品。
【請求項３】
最外面シートと、この最外面シートの内面に固定された内面側シートと、この内面側シートの内面側に設けられた吸収体を有する吸収性物品において、
前記内面側シートの収縮により前記最外面シートが皺寄せされている、ことを特徴とする吸収性物品。
【請求項４】
前記最外面シートと前記内面側シートとが、物品の前後方向に連続して且つ物品の幅方向に１〜１０ｍｍの間隔を空けて複数列設けるか、または物品の幅方向に連続させて且つ物品の前後幅方向に１〜１０ｍｍの間隔を空けて複数列設けた接着部分によって、シートの延在方向に間隔を空けて接着されている、請求項１〜３のいずれか１項に記載の吸収性物品。
【請求項５】
前記最外面シートが不織布からなり、フック要素を有するファスニング片を背側または腹側の両側端部に備え、装着に際して前記ファスニング片のフック要素を、背側及び腹側のうちファスニング片を有する側と反対側における前記最外面シート及び内面側シートが重なる部分の外表面に係合するように構成したテープ式使い捨ておむつであって、
前記最外面シート及び内面側シートが重なる部分全体にわたり、前記内面側シートが皺寄せされるとともに、その内面側シートの皺によって最外面シートに凹凸が形成されているか、あるいは前記内面側シートの収縮により前記最外面シートが皺寄せされており、
前記最外面シートにおけるフック要素の係合箇所は、前記フック要素の剥離に対する耐久性が前記フック要素の非係合箇所よりも高くなるように構成されている、
請求項１〜４のいずれか１項に記載の吸収性物品。
【請求項６】
前記最外面シートと前記内面側シートとがシートの延在方向に間隔を空けて接着されており、非接着部分における最外面シートが内面側シートから離間して膨らんでおり、
前記接着剤の塗布パターンが、物品前後方向または幅方向に連続する接着線が所定の間隔で複数列設けられたパターンであり、前記係合箇所における接着線の幅が０．１〜３ｍｍであり、かつ前記係合箇所の９０％以上の面積が接着されているか、あるいは
前記接着剤の塗布パターンが、点状の接着点が散点状に設けられたパターンであり、前記係合箇所における接着点の面積が０．０５〜５ｍｍ2であり、かつ前記係合箇所の９０％以上の面積が接着されていることにより、
前記フック要素の係合箇所における耐久性が前記フック要素の非係合箇所よりも高くなっている、請求項５記載の吸収性物品。
【請求項７】
前記最外面シートにおけるフック要素の係合箇所にヒートエンボス加工が施され、前記非係合箇所にはヒートエンボス加工が施されていない、請求項５記載の吸収性物品。
【請求項８】
前記吸収体は、包被シートによって包まれるとともに、肛門と対向する部分に表裏方向に貫通する貫通孔を有しており、前記内面側シートと前記貫通孔との間に介在するのは前記包被シートのみである、請求項５〜７のいずれか１項に記載の吸収性物品。
【手続補正２】
【補正対象書類名】明細書
【補正対象項目名】全文
【補正方法】変更
【補正の内容】
【発明の詳細な説明】
【発明の名称】吸収性物品
【技術分野】
【０００１】
本発明は、紙おむつや生理用ナプキン等の吸収性物品に関するものである。
【背景技術】
【０００２】
幼児や大人のテープ式やパンツ型の使い捨ておむつ、生理用ナプキンなどの吸収性物品は、使用面側のトップシートと、背面側の液の透過を防止する液不透過性シートと、これらのシート間に介在され、トップシートを透過した排泄液を受け入れ保持する吸収要素とを基本要素としている（例えば特許文献１参照）。
この基本要素に対し、液不透過性シートの裏面側にたとえば不織布などからなる最外面シートを設け、液不透過性シートとしてプラスチックシートを使用した場合における肌触りを改良する形態、製品の両側にいわゆるバリヤーカフスを形成する形態など、ウエスト周りや腹周りのフィット性を改良するために弾性伸縮性を付与する形態などが、適宜付加される。
【特許文献１】特開２００４−６５３００号公報
【特許文献２】特表２００２−５２４３９９号（ＷＯ９９／２７８７９）公報
【特許文献３】特表２００４−５００１６５号（米国特許第６，６４６，１８０号）公報
【発明の開示】
【発明が解決しようとする課題】
【０００３】
しかしながら、従来は、最外面シートをバックシート等の内面側のシートに固定する際、あるいは切断等の他の工程において、素材の伸縮等により、製品外面に現れるような皺が発生することがあった。このような製造過程で偶発的に発生する皺は、大きさ、方向または位置が不規則であり、機能上は問題無いものであっても、製品価値を低下させる一因となるため好ましくない。
また、この問題点に対して、従来は、伸びの少ない素材を用いる等、皺を最小限にするための技術開発がなされてきた。しかし、皺を完全に無くすことができないだけでなく、素材の選択肢が狭まる等の制限が発生していた。
そこで、本発明の主たる課題は、製造上不可避的に発生する皺により製品価値が低下するのを防ぐことにある。
【課題を解決するための手段】
【０００４】
上記課題を解決した本発明は、皺を無くそうとする従来の考え方に対して発想を転換し、内面側シートまたは最外面シートに積極的に皺を寄せることにより、製造上偶発的かつ不可避的に発生する皺を目立たなくしようとするものである。
【０００５】
＜請求項１記載の発明＞
最外面シートと、この最外面シートの内面に固定された内面側シートと、この内面側シートの内面側に設けられた吸収体を有する吸収性物品において、
前記内面側シートが皺寄せされるとともに、その内面側シートの皺によって最外面シートに凹凸が形成されており、且つ前記内面側シートの皺が前記最外面シートを通して視認可能である、ことを特徴とする吸収性物品。
【０００６】
（作用効果）
本項記載の発明は、積極的に、内面側シートに皺を寄せて最外面シートに皺状の凹凸を形成し、製造上偶発的かつ不可避的に発生する皺を目立たなくするものである。また、内面側シートの皺およびこれに伴う最外面シートの凹凸が存在することにより、柔軟性に富む外観及び触感がもたらされる。さらに、後述する製造法からも明らかなように、素材の伸びが問題とならないため、素材の選択肢が広がり、柔らかく、伸縮し易い素材も使用できるようになる。
【０００７】
【０００８】
【０００９】
＜請求項２記載の発明＞
前記最外面シートが伸縮性を有する不織布シートであり、前記内面側シートが前記最外面シートよりも伸縮性に乏しい液不透過性シートである、請求項１記載の吸収性物品。
【００１０】
（作用効果）
このようなシートの組み合わせは吸収性物品全般に広く採用されており、特別な設計変更を要せずに、容易に本発明を適用できるため好ましい。
【００１１】
＜請求項３記載の発明＞
最外面シートと、この最外面シートの内面に固定された内面側シートと、この内面側シートの内面側に設けられた吸収体を有する吸収性物品において、
前記内面側シートの収縮により前記最外面シートが皺寄せされている、ことを特徴とする吸収性物品。
【００１２】
（作用効果）
一方、本項記載の発明は、内面側シートの収縮を利用して積極的に最外面シートに皺を寄せることで、製造上偶発的かつ不可避的に発生する皺を目立たなくするものである。この場合、最外面シートに皺が存在することにより、柔軟性に富む外観及び触感がもたらされる。さらに、後述する製造法からも明らかなように、素材の伸びが問題とならないため、素材の選択肢が広がり、柔らかく、伸縮し易い素材も使用できるようになる。
【００１３】
＜請求項４記載の発明＞
前記最外面シートと前記内面側シートとが、物品の前後方向に連続して且つ物品の幅方向に１〜１０ｍｍの間隔を空けて複数列設けるか、または物品の幅方向に連続させて且つ物品の前後幅方向に１〜１０ｍｍの間隔を空けて複数列設けた接着部分によって、シートの延在方向に間隔を空けて接着されている、請求項１〜３のいずれか１項に記載の吸収性物品。
【００１４】
（作用効果）
本項記載の場合、非接着部分の最外面シートが接着部分に対して浮き上がるため、特に柔軟な触感が得られる。
【００１５】
【００１６】
また、このような方向及び間隔で接着を行うと、規則的かつ細かい皺及び凹凸が多数形成され、美観及び柔軟性ともに優れるようになるため好ましい。また、特に物品の前後方向または幅方向に沿って連続させて接着を行うと、製造が容易で、かつ外観にも優れるため好ましい。
【００１７】
＜請求項５記載の発明＞
前記最外面シートが不織布からなり、フック要素を有するファスニング片を背側または腹側の両側端部に備え、装着に際して前記ファスニング片のフック要素を、背側及び腹側のうちファスニング片を有する側と反対側における前記最外面シート及び内面側シートが重なる部分の外表面に係合するように構成したテープ式使い捨ておむつであって、
前記最外面シート及び内面側シートが重なる部分全体にわたり、前記内面側シートが皺寄せされるとともに、その内面側シートの皺によって最外面シートに凹凸が形成されているか、あるいは前記内面側シートの収縮により前記最外面シートが皺寄せされており、
前記最外面シートにおけるフック要素の係合箇所は、前記フック要素の剥離に対する耐久性が前記フック要素の非係合箇所よりも高くなるように構成されている、
請求項１〜４のいずれか１項に記載の吸収性物品。
【００１８】
（作用効果）
吸収性物品の中でも、本項記載のように不織布からなる最外面シートそのものにフック要素を係合させるテープ式使い捨て紙おむつに対して、係合箇所を含めて前述の本発明の凹凸等形成加工を適用すると、係合箇所におけるフック要素の剥離に対する耐久性が低下する。その結果、止着時にフック要素に絡まった不織布繊維がフック要素の剥離に伴って抜け落ちたり、フック要素の剥離に伴い最外面シートにも剥離力が作用して内面側シートから剥離されたりするといった事態が発生し、繰り返し止着が困難となったり、最外面シートが破けたりするおそれがあった。
この問題点に対して、最外面シートと内面側シートとの重なる部分の全体の耐久性を高めることもできるが、その場合、資材コストや製造コストが極端に増加する、あるいは製品外面の大部分にわたって風合いが損なわれるといった問題点が発生する。
そこで、本項記載の発明では、最外面シートにおけるフック要素の係合箇所の耐久性を、フック要素の非係合箇所よりも高くなるように構成したものである。
なお、この説明からも明らかなように、本発明における「耐久性」とは、フック要素の剥離に起因する不織布繊維の抜け落ち難さや、最外面シートの内面側シートからの剥離し難さ（剥離強度）を意味する。
【００１９】
＜請求項６記載の発明＞
前記最外面シートと前記内面側シートとがシートの延在方向に間隔を空けて接着されており、非接着部分における最外面シートが内面側シートから離間して膨らんでおり、
前記接着剤の塗布パターンが、物品前後方向または幅方向に連続する接着線が所定の間隔で複数列設けられたパターンであり、前記係合箇所における接着線の幅が０．１〜３ｍｍであり、かつ前記係合箇所の９０％以上の面積が接着されているか、あるいは
前記接着剤の塗布パターンが、点状の接着点が散点状に設けられたパターンであり、前記係合箇所における接着点の面積が０．０５〜５ｍｍ2であり、かつ前記係合箇所の９０％以上の面積が接着されていることにより、
前記フック要素の係合箇所における耐久性が前記フック要素の非係合箇所よりも高くなっている、請求項５記載の吸収性物品。
【００２０】
（作用効果）
本発明の凹凸等形成加工に際して最外面シートと内面側シートとを間欠接着する場合、その接着剤を利用して、接着剤の塗布パターンや塗布量の相違によりフック要素の係合箇所における耐久性を向上させると、外観および外面の風合いの変化を抑制しつつ、繊維の抜け落ちおよび最外面シートの剥離の双方に優れるようになり、また製造も容易になるため好ましい。
【００２１】
【００２２】
接着剤の塗布パターンとしては、本項記載のように線状または点状のものが好ましく、この場合、係合箇所における総接着面積が９０％未満であると耐久性の向上が困難となり、係合箇所における線幅または点面積が狭過ぎると、総塗布面積や塗布量に関係なく耐久性の向上が困難となり、線幅または点面積が広過ぎると、凹凸等形成加工が困難になる、風合いが悪化し易くなる。よって、本項記載の範囲内が好ましい。なお、「散点状」とは、規則的に配列されているものと、不規則に散らばっているものの両者を含む。
【００２３】
＜請求項７記載の発明＞
前記最外面シートにおけるフック要素の係合箇所にヒートエンボス加工が施され、前記非係合箇所にはヒートエンボス加工が施されていない、請求項５記載の吸収性物品。
【００２４】
（作用効果）
耐久性向上の別の手段としては、本項記載のようなヒートエンボス加工を採用することもできる。この場合、圧密化や素材の融着等により耐久性が向上するだけでなく、外観上の差異も生ずるため、係合箇所を表示する機能も発揮される。
【００２５】
＜請求項８記載の発明＞
前記吸収体は、包被シートによって包まれるとともに、肛門と対向する部分に表裏方向に貫通する貫通孔を有しており、前記内面側シートと前記貫通孔との間に介在するのは前記包被シートのみである、請求項５〜７のいずれか１項に記載の吸収性物品。
【００２６】
【００２７】
【００２８】
【００２９】
【００３０】
【００３１】
【００３２】
【００３３】
【００３４】
【発明の効果】
【００３５】
以上のとおり、本発明によれば、製造上不可避的に発生する皺により製品価値が低下するのを防止できる等、種々の利点がもたらされる。
【発明を実施するための最良の形態】
【００３６】
以下、添付図面を参照しつつ、本発明の一実施形態について詳説する。
＜パンツ型使い捨ておむつの例＞
図１には、パンツ型使い捨ておむつの例が示されている。このパンツ型使い捨ておむつ１０は、外面（裏面）側の外装シート１２と内面（表面）側の吸収性本体２０とを備え、外装シート１２に吸収性本体２０が固定されている。吸収性本体２０は、尿や軟便などの体液（後述する生理用ナプキンでは経血）を受け止めて吸収保持する部分である。外装シート１２は着用者に装着するための部分である。
【００３７】
外装シート１２はたとえば図示のように砂時計形状となり、両側が括れており、ここが着用者の脚を入れる部位となる。吸収性本体２０は任意の形状を採ることができるが、図示の形態では長方形である。
【００３８】
外装シート１２は、図２に示すように、吸収性本体２０が所定位置に設置され固定された後、前後に折り畳まれ、外装シート１２の前身頃１２Ｆ及び後身頃１２Ｂの両側部の接合領域１２Ａが熱融着などにより接合される。これによって、図１に示す構造の、ウエスト開口部ＷＯと一対のレッグ開口部ＬＯを有するパンツ型使い捨ておむつが得られる。
【００３９】
図示の吸収性本体２０の長手方向（すなわち図２の上下方向。製品の前後方向でもある。）の中間の幅は、外装シート１２の括れた部分を繋ぐ幅より短い形態が示されている。この幅の関係は逆でもよいし、同一の幅でもよい。
【００４０】
外装シート１２は望ましくは図示のように二枚のシートを積層してなり、これらのシート間に弾性伸縮部材１２Ｃを介在させて、その収縮力により着用者にフィットさせる形態が望ましい。外装シート１２の素材としては、たとえば撥水性不織布を用いることができる。また、弾性伸縮部材としては、糸ゴムや弾性発泡体の帯状物などを使用できるが、多数の糸ゴムを使用するのが望ましい。図示の形態では、糸ゴム１２Ｃ，１２Ｃ…が、ウエスト領域Ｗにおいては幅方向に連続して設けられ、腰下領域Ｕにおいては両側部分のみに設けられ、股下領域Ｌにおいては設けられていない。糸ゴム１２Ｃ，１２Ｃ…が、ウエスト領域Ｗ及び腰下領域Ｕの両者に設けられていることで、糸ゴム１２Ｃ自体の収縮力が弱いとしても、全体としては腰下領域Ｕにおいても着用者に当たるので、製品が着用者に好適にフィットする。
【００４１】
（吸収性本体）
吸収性本体２０としては、図３に示されるように、使用面側から順に、体液を透過させるたとえば不織布などからなるトップシート３０と、吸収要素５０とを備えたものを用いることができる。通常の場合、吸収要素５０の裏面側にはプラスチックシートなどからなる体液不透過性シート７０が設けられる。この体液不透過性シート７０の裏面側は外装シート１２の身体側面に接合されている。また、トップシート３０を透過した体液を速やかに吸収要素５０へ移行させるために、トップシート３０と吸収要素５０との間に、中間シート（セカンドシート）４０を設けることができる。さらに、吸収部２０の両脇に排泄物が漏れるのを防止するために、吸収部２０の両側に起立するバリヤーカフス６０、６０を設けることができる。
【００４２】
（トップシート）
トップシート３０は、体液を透過する性質を有する。したがって、トップシート３０の素材は、この体液透過性を発現するものであれば足り、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００４３】
（中間シート）
トップシート３０を透過した体液を速やかに吸収体へ移行させるために、トップシート３０より体液の透過速度が速い、通常「セカンドシート」と呼ばれる中間シート４０を設けることができる。この中間シート４０は、体液を速やかに吸収体へ移行させて吸収体による吸収性能を高めるばかりでなく、吸収した体液の吸収体からの「逆戻り」現象を防止し、トップシート３０上を常に乾燥した状態とすることができる。中間シート４０は省略することもできる。
中間シート４０としては、トップシート３０と同様の素材や、スパンレース、パルプ不織布、パルプとレーヨンとの混合シート、ポイントボンド又はクレープ紙を例示できる。特にエアスルー不織布及びスパンボンド不織布が好ましい。
図示の形態の中間シート４０は、吸収体５６の幅より短く中央に配置されているが、全幅にわたって設けてもよい。中間シート４０の長手方向長さは、吸収体５６の長さと同一でもよいし、体液を受け入れる領域を中心にした短い長さ範囲内であってもよい。中間シート４０の代表的な素材は体液の透過性に優れる不織布である。
【００４４】
（体液不透過性シート）
体液不透過性シート７０は、単に吸収体５６の裏面側に配されるシートを意味し、本実施の形態においては、トップシート３０との間に吸収体５６を介在させるシートとなっている。したがって、本体液不透過性シートは、その素材が、特に限定されるものではない。具体的には、例えば、ポリエチレンやポリプロピレン等のオレフィン系樹脂や、ポリエチレンシート等に不織布を積層したラミネート不織布、防水フィルムを介在させて実質的に不透液性を確保した不織布（この場合は、防水フィルムと不織布とで体液不透過性シートが構成される。）などを例示することができる。もちろん、このほかにも、近年、ムレ防止の観点から好まれて使用されている不透液性かつ透湿性を有する素材も例示することができる。この不透液性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートや、ＳＭＳ不織布等の液不透過性極細繊維不織布を例示することができる。
体液不透過性シート７０は、いわゆる額巻きする形態で使用面に延在させる（図示せず）ことで、体液の横漏れを防止できるが、実施の形態においては、横漏れについては、バリヤーカフス６０を形成する二重のバリヤーシート６４間に第２体液不透過性シート７２を介在させることにより防止している。この形態によれば、バリヤーカフス６０の起立まで第２体液不透過性シート７２が延在しているので、トップシート３０を伝わって横に拡散した体液やバリヤーカフス６０、６０間の軟便の横漏れを防止できる利点もある。
体液不透過性シート７０には、商品名、機能説明、キャラクター、模様等の表示部を設けることができ、この表示部は、排尿があったことを知らせるお知らせ機能を有していても良い。
【００４５】
（バリヤーカフス）
製品の両側に設けられたバリヤーカフス６０、６０は、トップシート３０上を伝わって横方向に移動する尿や軟便を阻止し、横漏れを防止するために設けられているが、付加的な要素である。
図示のバリヤーカフス６０は、撥水性不織布シートを二重にしたものであり、吸収体５６の裏面側からトップシート３０の下方への折り込み部分を覆って、表面側に突出するように形成されている。トップシート３０上を伝わって横方向に移動する尿を阻止するために、特に、二重の不織布シート間に体液不透過性シート７０の側部が挿入され、表面側に突出するバリヤーカフス６０の途中まで延在している。
また、バリヤーカフス６０自体の形状は適宜に設計可能であるが、図示の例では、バリヤーカフス６０の突出部の先端部及び中間部に弾性伸縮部材、たとえば糸ゴム６２が伸張下で固定され、使用状態においてその収縮力により、バリヤーカフス６０が起立するようになっている。中間部の糸ゴム６２が先端部の糸ゴム６２、６２よりも中央側に位置してトップシート３０の前後端部に固定される関係で、図３のように、バリヤーカフス６０の基部側は中央側に向かって斜めに起立し、中間部より先端部は外側に斜めに起立する形態となる。
【００４６】
（吸収要素）
吸収要素５０は、吸収体５６と、この吸収体５６の少なくとも裏面及び側面を包む包被シート５８とを有する。包被シート５８は省略することもできる。さらに、図示形態では、吸収体５６と包被シート５８の裏面側部位（下側の部分）との間に保持シート８０が設けられているが、この保持シート８０は省略することもできる。
【００４７】
（吸収体）
吸収体５６は、綿状パルプ等の短繊維を積繊したものの他、フィラメント５２，５２…の集合体からなるもの等も使用できる。
【００４８】
フィラメント５２，５２…の集合体は、トウ（繊維束）を開繊することにより得ることができる。トウ構成繊維としては、例えば、多糖類又はその誘導体（セルロース、セルロースエステル、キチン、キトサンなど）、合成高分子（ポリエチレン、ポリプロピレン、ポリアミド、ポリエステル、ポリラクタアミド、ポリビニルアセテートなど）などを用いることができるが、特に、セルロースエステルおよびセルロースが好ましい。
【００４９】
セルロースとしては、綿、リンター、木材パルプなど植物体由来のセルロースやバクテリアセルロースなどが使用でき、レーヨンなどの再生セルロースであってもよく、再生セルロースは紡糸された繊維であってもよい。
【００５０】
好適に採用できるセルロースエステルとしては、例えば、セルロースアセテート、セルロースブチレート、セルロースプロピオネートなどの有機酸エステル；セルロースアセテートプロピオネート、セルロースアセテートブチレート、セルロースアセテートフタレート、硝酸酢酸セルロースなどの混酸エステル；およびポリカプロラクトングラフト化セルロースエステルなどのセルロースエステル誘導体などを用いることができる。これらのセルロースエステルは単独で又は二種類以上混合して使用できる。セルロースエステルの粘度平均重合度は、例えば、５０〜９００、好ましくは２００〜８００程度である。セルロースエステルの平均置換度は、例えば、１．５〜３．０（例えば、２〜３）程度である。
【００５１】
セルロースエステルの平均重合度は、例えば１０〜１０００、好ましくは５０〜９００、さらに好ましくは２００〜８００程度とすることができ、セルロースエステルの平均置換度は、例えば１〜３程度、好ましくは１〜２．１５、さらに好ましくは１．１〜２．０程度とすることができる。セルロースエステルの平均置換度は、生分解性を高める等の観点から選択することができる。
【００５２】
セルロースエステルとしては、有機酸エステル（例えば、炭素数２〜４程度の有機酸とのエステル）、特にセルロースアセテートが好適である。セルロースアセテートの酢化度は、４３〜６２％程度である場合が多いが、特に３０〜５０％程度であると生分解性にも優れるため好ましい。特に好ましいセルロースエステルは、セルロースジアセテートである。
【００５３】
トウ構成繊維は、種々の添加剤、例えば、熱安定化剤、着色剤、油剤、歩留り向上剤、白色度改善剤等を含有していても良い。
【００５４】
トウ構成繊維の繊度は、例えば、１〜１６デニール、好ましくは１〜１０デニール、さらに好ましくは１〜６デニールが望ましい。トウ構成繊維は、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。捲縮繊維を用いると、嵩高で軽量な吸収体を製造できるとともに、繊維間の絡み合いにより一体性の高いトウを容易に製造できる。トウ構成繊維の断面形状は、特に限定されず、例えば、円形、楕円形、異形（例えば、Ｙ字状、Ｘ字状、Ｉ字状、Ｒ字状など）や中空状などのいずれであってもよい。トウ構成繊維は、例えば、１，０００〜１，０００，０００本、好ましくは２，０００〜１，０００，０００本程度の単繊維を束ねることにより形成されたトウ（繊維束）の形で使用することができる。繊維束は、１，０００〜１，０００，０００本程度の連続繊維を集束して構成するのが好ましい。
【００５５】
本発明において好適に使用できるセルロースジアセテートのトウのベールは、セラニーズ社やダイセル化学工業などにより市販されている。セルロースジアセテートのトウのベールは、密度は約０．５ｇ／ｃｍ3であり、総重量は４００〜６００ｋｇである。このベールから、トウを引き剥がし、所望のサイズ、嵩となるように広い帯状に開繊する。トウの開繊幅は任意であり、例えば、幅５０〜２０００ｍｍ、好ましくは製品の吸収体の幅の５０〜３００ｍｍ程度とすることができる。また、トウの開繊度合いを調整することにより、吸収体の密度を調整することができる。
【００５６】
好適には、図３に示すように、吸収体５６中に高吸収性ポリマー粒子５４，５４…を含ませる。そして、少なくとも体液受け入れ領域において、フィラメント５２，５２…の集合体に対して高吸収性ポリマー粒子（ＳＡＰ粒子）が実質的に厚み方向全体に分散されているものが望ましい。この実質的に厚み方向全体に分散されている状態を図３の要部拡大図として概念的に示した。
【００５７】
吸収体５６の上部、下部、及び中間部にＳＡＰ粒子が無い、あるいはあってもごく僅かである場合には、「厚み方向全体に分散されている」とは言えない。したがって、「厚み方向全体に分散されている」とは、フィラメントの集合体に対し、厚み方向全体に「均一に」分散されている形態のほか、上部、下部及び又は中間部に「偏在している」が、依然として上部、下部及び中間部の各部分に分散している形態も含まれる。また、一部のＳＡＰ粒子がフィラメント５２，５２…の集合体中に侵入しないでその表面に残存している形態や、一部のＳＡＰ粒子がフィラメントフィラメント５２，５２…の集合体を通り抜けて包被シート５８上にある形態や図６に示されるように保持シート８０上にある形態も排除されるものではない。
【００５８】
（高吸収性ポリマー粒子）
高吸収性ポリマー粒子５４とは、「粒子」以外に「粉体」も含む。高吸収性ポリマー粒子５４の粒径は、この種の吸収性物品に使用されるものをそのまま使用でき、１０００μｍ以下、特に１５０〜４００μｍのものが望ましい。高吸収性ポリマー粒子５４の材料としては、特に限定無く用いることができるが、吸水量が４０ｇ／ｇ以上のものが好適である。高吸収性ポリマー粒子５４としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子５４の形状としては、通常用いられる粉粒体状のものが好適であるが、他の形状のものも用いることができる。
【００５９】
高吸収性ポリマー粒子５４としては、吸水速度が４０秒以下のものが好適に用いられる。吸水速度が４０秒を超えると、吸収体５６内に供給された体液が吸収体５６外に戻り出てしまう所謂逆戻りを発生し易くなる。
【００６０】
また、高吸収性ポリマー粒子５４としては、ゲル強度が１０００Ｐａ以上のものが好適に用いられる。これにより、嵩高な吸収体５６とした場合であっても、体液吸収後のべとつき感を効果的に抑制できる。
【００６１】
高吸収性ポリマー粒子５４の目付け量は、当該吸収体５６の用途で要求される吸収量に応じて適宜定めることができる。したがって一概には言えないが、５０〜３５０ｇ／ｍ2とすることができる。ポリマーの目付け量を５０ｇ／ｍ2以下とすることにより、ポリマーの重量によって、合成連続繊維を採用することにより軽量化効果が発揮されにくくなるのを防止できる。３５０ｇ／ｍ2を超えると、効果が飽和するばかりでなく、高吸収性ポリマー粒子５４の過剰によりジャリジャリした違和感を与えるようになる。
【００６２】
必要であれば、高吸収性ポリマー粒子５４は、吸収体５６の平面方向で散布密度あるいは散布量を調整できる。たとえば、体液の排泄部位を他の部位より散布量を多くすることができる。男女差を考慮する場合、男用は前側の散布密度（量）を高め、女用は中央部の散布密度（量）を高めることができる。また、吸収体５６の平面方向において局所的（例えばスポット状）にポリマーが存在しない部分を設けることもできる。
【００６３】
必要により、高吸収性ポリマー粒子５４として、粒径分布が異なる複数用意し、厚み方向に順次供給し、吸収体５６内の下側に粒径分布が小さいものを、上側に粒径分布が大きいものを分布させることができる。
【００６４】
高吸収性ポリマー粒子５４と連続繊維との割合は吸収特性を左右する。吸収体５６における体液を直接受ける領域での５ｃｍ×５ｃｍの平面面積内における重量比としては、高吸収性ポリマー粒子／連続繊維重量が、１〜１４、特に２〜９であることが望ましい。
【００６５】
（包被シート）
包被シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。目付けは、５〜４０ｇ／ｍ2、特に１０〜３０ｇ／ｍ2のものが望ましい。
この包被シート５８は、図３のように、連続繊維５２，５２…の集合体及び高吸収性ポリマー粒子５４，５４…の層全体を包む形態のほか、その層の裏面及び側面のみを包被するものでもよい。また図示しないが、吸収体５６の上面及び側面のみをクレープ紙や不織布で覆い、下面をポリエチレンなどの体液不透過性シートで覆う形態、吸収体５６の上面をクレープ紙や不織布で覆い、側面及び下面をポリエチレンなどの体液不透過性シートで覆う形態などでもよい（これらの各素材が包被シートの構成要素となる）。必要ならば、連続繊維５２，５２…の集合体及び高吸収性ポリマー粒子５４，５４…の層を、上下２層のシートで挟む形態や下面のみに配置する形態でもよいが、高吸収性ポリマー粒子の移動を防止でき難いので望ましい形態ではない。
【００６６】
（保持シート）
保持シート８０を設ける場合、保持シート８０と吸収体５６上との間には、高吸収性ポリマー粒子５４をその散布などにより介在させることができる。高吸収性ポリマー粒子５４は、連続繊維５２の集合体への供給時又はその後の工程、あるいは消費者が使用するまでの流通過程で、連続繊維５２の集合体を通り抜けることがある。連続繊維の集合体を通り抜けた高吸収性ポリマー粒子群の凹凸は、消費者が使用する際に手で触ったときジャリジャリした違和感を与える。そこで、吸収体５６と包被シート５８との間に高吸収性ポリマー５４の保持性能を有する保持シート８０を介在させるのも好ましい形態である。この保持シート８０は、ティッシュペーパ（クレープ紙）などの包被シート５８のみでは足りないコシを補強して、消費者が使用する際に手で触ったとき違和感を軽減又は防止する。
【００６７】
保持シート８０の素材は、特に限定されず、高吸収性ポリマー５４の保持性能を有するものであれば足りる。具体的には、例えば、不織布、捲縮パルプ、低吸収性のコットン繊維（例えば、未脱脂のコットン繊維、脱脂されたコットン繊維、レーヨン繊維を撥水剤や疎水化剤で処理したものなど。）、ポリエチレン繊維、ポリエステル繊維、アクリル繊維、ポリプロピレン繊維、絹、綿、麻、ナイロン、ポリウレタン、アセテート繊維等を例示することができる。
【００６８】
保持シート８０を不織布とする場合、その保持シート８０は、ＫＥＳ試験に基づく圧縮エネルギーが０．０１〜１０．００ｇｆｃｍ／ｃｍ2、好ましくは、０．０１〜１．００ｇｆｃｍ／ｃｍ2で、かつ圧縮レジリエンスが１０〜１００％、好ましくは、７０〜１００％の不織布であるとよい。
【００６９】
保持シート８０を設ける理由は先にも触れたように、たとえば吸収体５６から下方に抜け落ちた（抜け出た）高吸収性ポリマー５４を保持することにある。したがって、抜け出た高吸収性ポリマー粒子５４に対して、包被シート５８及び保持シート８０を介して使用者に接触するので、使用者にジャリジャリした違和感として、伝わるおそれがない。特に上記の縮エネルギー及び圧縮レジリエンスである不織布であると、その機能が十分に発揮する。
【００７０】
また、抜け出た高吸収性ポリマー５４は、保持シート６０によって保持され、包被シート５８上を移動することがないため、吸収能力の偏在が生じるおそれもない。特に、保持シート８０上を高吸収性ポリマー粒子５４が移動を防止するために、予め粘着性を有するホットメルト接着剤などを保持シート８０上に塗布することができる。また、保持シート８０の上面（使用面側に向かう面）を粗面とすることで、保持シート８０上を高吸収性ポリマー粒子５４が移動を防止するようにしてもよい。このための粗面化又は毛羽立ち手段としては、不織布の製造時におけるネット面でない非ネット面とする、マーブル加工を行う、ニードルパンチにより加工する、ブラシッング加工するなどを挙げることができる。
【００７１】
保持シート８０は、図３等に示すように吸収体５６の下方にのみ設けても、また図示しないが、吸収体５６の側面を通り吸収体５６の上面にまで巻き上げて延在させてもよい。また、保持シート８０を複数枚重ねて使用することも可能である。
【００７２】
上記例は、吸収体５６と包被シート５８の裏面側部位との間に保持シート５８を設ける例であるが、保持シートは、包被シートより裏面側であってもよく（その形態は図示していない）、要は、吸収体５６に対して裏面側に保持シートを設ければ、製品の裏面から触る場合におけるジャリジャリした違和感を軽減させるあるいは生じさせないものとなる。
【００７３】
（エンボス加工）
トップシート３０の表面側から厚み方向にエンボスによる凹部Ｅを形成してもよい。この場合、トップシート３０のみにエンボスによる凹部Ｅを形成するほか、図７に示すように、トップシート３０と中間シート４０との両者にエンボスによる凹部Ｅを形成方したり、トップシート３０の表面側から吸収体５６の厚さ方向一部または略全体に達するようにエンボスによる凹部を形成したり（図示せず）することができる。トップシート３０と中間シート４０との両者にエンボスによる凹部Ｅを形成させるためには、中間シート４０としては、坪量が８〜４０ｇ／ｍ2、厚さ０．２〜１．５ｍｍ、トップシート３０としては、坪量が１５〜８０ｇ／ｍ2、厚さ０．２〜３．５ｍｍの範囲にあるのが、透液性を阻害しない条件で、エンボス加工を充分に行える点で望ましい。
【００７４】
また、トップシート３０に凹部を形成することなく、中間シート４０のみにエンボスによる凹部を形成してもよく、さらにトップシート３０及び中間シート４０に凹部を形成することなく、吸収要素５６のみにエンボスによる凹部を形成しても、また、トップシート３０、中間シート４０および包被シート５８に凹部を形成することなく、吸収体５８のみにエンボスによる凹部を形成してもよい。
【００７５】
凹部Ｅはこれが延在する方向に、体液を誘導し拡散させる効果がある。よって、凹部Ｅを実質的に溝状に連続させる（複数の凹部が間隔を空けて列なり一つの溝を形成する場合を含む）と、体液は、吸収体に到達する前に表面側層の凹部Ｅを伝って拡散するようになり、吸収体のより広範な部分を吸収に利用できるようになる。よって、製品全体の吸収容量が増大し、吸収容量不足に基づく側方からの漏れや逆戻りが発生し難い吸収性物品となる。
【００７６】
一方、トウからなる吸収体５６は従来のパルプ物と比べて剛性が低下し易いが、吸収体５６にエンボスによる凹部を形成すると剛性を高めることができるため好ましい。図示しないが、吸収要素５０の剛性を高めるために、吸収体５６の裏面側（トップシート３０側に対して反対側）から厚み方向にエンボスによる凹部を形成するのも好ましい形態である。この裏面側の凹部を形成するために、保持シート８０、包被シート５８、体液不透過性シート７０または外装シート１２の裏面側から、吸収体５６まで達するように一体的にエンボス加工を施すことができる。また、このような裏面側の凹部は、表面側の凹部Ｅとともに形成するのが好ましいが、表面側の凹部Ｅを形成せずに裏面側の凹部のみ形成することもできる。凹部を表裏両側に設ける場合には、凹部の形態を表裏共通にしても良く、また表裏異なるものとしても良い。
【００７７】
エンボスによる凹部はその延在方向に体液を誘導し拡散させる効果がある。また剛性を高める効果もある。よって、エンボスによる凹部の形態はこれらの効果を考慮して決定するのが望ましい。例えば、凹部は、実質的に溝状に連続するもの（複数の凹部が間隔を空けて列なり一つの溝を形成する場合を含む）の他、複数の凹部が間隔を空けて点状に配置されるものであっても良い。また、平面パターンとしては、溝状または点状の凹部が、製品の長手方向、幅方向、これらを組み合わせた格子状、幅方向に往復するジグザグ状（千鳥状）、あるいは不規則に配置された形態等を採ることができる。さらに、ピン状、富士山状、蛇腹状等、適宜の形態を採用することができる。
【００７８】
（その他）
なお、図示しないが、吸収性本体２０の各構成部材は、ホットメルト接着剤などのベタ、ビードまたはスパイラル塗布などにより相互に固定することができる。
【００７９】
（テープ式使い捨ておむつの例）
一方、図８及び図９はテープ式使い捨ておむつの例を示している。図９は図８における９−９線矢視図であるが、吸収性本体２０についてはやや誇張して図示してある。また、図１０及び図１１は別の例を示している。
【００８０】
テープ式使い捨ておむつ１０Ａは、おむつの背側両側端部に取り付けられたファスニング片１３０を有し、このファスニング片１３０の止着面にフック要素１３０Ａを有するとともに、前記おむつの裏面を構成するバックシート１２Ａを不織布積層体とし、おむつの装着に当り、前記ファスニング片１３０のフック要素１３０Ａを前記バックシートの表面の任意個所に係合可能となしたおむつである。
【００８１】
吸収性本体２０は、トップシート３０と体液不透過性シート７０との間に吸収要素５０を介在させたものとなっている。吸収要素５０は、吸収体５６と、吸収体５６の全体を包む包被シート５８とを有する。吸収体５６は、図１０及び図１１に示すように、その一部、例えば背側部における肛門と対向する部分に、上下方向（表裏方向）に貫通する貫通孔５６Ｈを形成することができる。貫通孔５６Ｈは複数設けることもできる。また貫通孔５６Ｈの横断面形状としては、図示のような円形の他、正方形、長方形、楕円、五角形、六角形等、任意の形状とすることができる。
【００８２】
吸収体５６と包被シート５８との間には、図８及び図９に示す例では保持シート８０が設けられているが、図１０及び図１１に示すように設けない構造とすることもできる。
【００８３】
さらに、トップシート３０と吸収体５６との間には、中間シート４０が介在されている。この中間シート４０は、図１０及び図１１に示す例では設けられていない。体液不透過性シート７０は吸収体５６より幅広の長方形をなし、その外方に砂時計形状の不織布からなるバックシート１２Ａが設けられている。
【００８４】
トップシート３０は吸収体５６より幅広の長方形をなし、吸収体５６の側縁より若干外方に延在し、体液不透過性シート７０とホットメルト接着剤などにより固着されている。
【００８５】
おむつの両側部には、使用面側に突出するバリヤーカフス６０Ａが形成され、このバリヤーカフス６０Ａは、実質的に幅方向に連続した不織布からなるバリヤーシート６４と、このバリヤーシート６４に伸張状態で固定された弾性伸縮部材６２とにより構成されている。この弾性伸縮部材６２としては糸ゴム等を用いることができ、例えば図８及び図９に示すように各複数本設ける他、図１０及び図１１に示すように各１本設けることができる。
【００８６】
バリヤーシート６４の内面は、トップシート３０の側縁と離間した位置において固着始端を有し、この固着始端から側方の部分は、体液不透過性シート７０の側縁及びバックシート１２Ａの側縁にわたりホットメルト接着剤などにより固着されている。この固着部分においては、バリヤーシート６４と体液不透過性シート７０とが対向する部分のシート間、ならびにバリヤーシート６４とバックシート１２Ａとが対向する部分のシート間に、糸ゴム等の弾性伸縮部材６６がそれぞれ設けられている。さらに、図１０及び図１１の形態では、吸収要素５０の下面両側部と体液不透過性シート７０上面との間にも、糸ゴム等の弾性伸縮部材６５がそれぞれ設けられている。
【００８７】
バリヤーシート６４の内面の、体液不透過性シート７０への固着始端は、バリヤーカフス６０Ａの起立端を形成している。脚周りにおいては、この起立端より内側は、製品本体に固定されていない自由部分であり、この自由部分が糸ゴム６２の収縮力により起立するようになる。
【００８８】
ファスニング片１３０は、プラスチック、ポリラミ不織布、紙製などのファスニング基材の基部がバックシート１２Ａに、例えば接着剤により接合されており、先端側にフック要素１３０Ａを有する。フック要素１３０Ａはファスニング基材に接着剤により接合されている。フック要素１３０Ａは、その外面側に多数の係合片を有する。フック要素１３０Ａより先端側に仮止め接着剤部１３０Ｂを有する。製品の組立て末期において、仮止め接着剤部１３０Ｂがバリヤーシート６４に接着されることによりファスニング片１３０の先端側の剥離を防止するようにしている。使用時には、その接着力に抗して剥離し、ファスニング片１３０の先端側を前身頃に持ち込むものである。仮止め接着剤部１３０Ｂより先端側はファスニング基材が露出して摘みタブ部とされている。
【００８９】
腹側の開口部側には、バックシート１２Ａの内面側に、デザインシートとしてのターゲット印刷シート７４が設けられ、ファスニング片１３０のフック要素１３０Ａを止着する位置の目安となるデザインが施されたターゲット印刷がなされ、外部からバックシート１２Ａを通して視認可能なように施されている。ターゲット印刷シート７４は省略することができる。
【００９０】
本例では、ファスニング片１３０として、面ファスナーを用いることで、バックシート１２Ａに対して、メカニカルに止着できる。したがって、いわゆるターゲットテープを省略することもでき、かつ、ファスニング片１３０による止着位置を自由に選択できる。
【００９１】
おむつの、装着時には、おむつが舟形に体に装着されるので、そして糸ゴム６２の収縮力が作用するので、脚周りでは、糸ゴム６２の収縮力によりバリヤーカフス６０Ａが起立する。
【００９２】
起立部で囲まれる空間は、尿又は軟便の閉じ込め空間を形成する。この空間内に排尿されると、その尿はトップシート３０を通って吸収体５６内に吸収されるとともに、軟便の固形分については、バリヤーカフス６０Ａの起立部がバリヤーとなり、その乗り越えが防止される。万一、起立部の起立遠位側縁を乗り越えて横に漏れた尿は、平面当り部によるストップ機能により横漏れが防止される。
【００９３】
本形態において、各起立カフスを形成するバリヤーシート６４は、透液性でなく実質的に不透液性（半透液性でもよい）であるのが望ましい。また、本発明の表面シート（不織布積層体）に対してシリコン処理などにより液体をはじく性質となるようにしてもよい。いずれにしても、バリヤーシート６４及びバックシート１２Ａは、それぞれ通気性があり、かつバリヤーシート６４及びバックシート１２Ａは、それぞれ耐水圧が１００ｍｍＨ2Ｏ以上のシートであるのが好適である。これによって、製品の幅方向側部において通気性を示すものとなり、着用者のムレを防止できる。
【００９４】
その他の点、例えば各部の使用素材等については、前述のパンツ型紙おむつの場合と同じであるため、敢えて説明を省略する。
【００９５】
（本発明の特徴部分）
さて、本発明は、前述したように、最外面シートおよびその内面に固定された内面側シートに適用されるものである。具体的に、前述のパンツ型使い捨ておむつまたはテープ式使い捨ておむつの例において、外装シート１２またはバックシート１２Ａが二層構造とされている場合、その外側のシート及び内側のシートをそれぞれ本発明の最外面シート及び内面側シートとすることができる。また、外装シート１２またはバックシート１２Ａの積層数に関係なくその全体を本発明の最外面シートとし、その内面が固定される体液不透過性シート７０を本発明の内面側シートとすることもできる。
【００９６】
本発明の第１の形態は、これらのシートを対象として、図１２に示すように、内面側シートＳ２が皺寄せされるとともに、その内面側シートＳ２の皺によって最外面シートＳ１に凹凸が形成されたものである。第１の形態は、最外面シートＳ１が伸縮性を有する不織布シートであり、内面側シートＳ２が最外面シートＳ１よりも伸縮性に乏しい液不透過性シートである場合に好適な形態である。
【００９７】
また第２の形態は、図１３に示すように、内面側シートＳ２の収縮により最外面シートＳ１が皺寄せされたものである。この形態は、内面側シートＳ２が最外面シートＳ１よりも伸縮性に富む場合に好適な形態である。
【００９８】
これらの本発明の構造は、最外面シートＳ１及び内面側シートＳ２のいずれか一方のシートを他方のシートよりも伸張させた状態で最外面シートＳ１と内面側シートＳ２とを固定した後、最外面シートＳ１及び内面側シートＳ２を開放し、一方のシートを他方のシートよりも収縮させることにより製造することができる。ただし、この一方のシートは、第１の形態のときには最外面シートＳ１となり、第２の形態の場合には内面側シートＳ２となる。
【００９９】
一方のシートを他方のシートよりも伸張させるにあたり、その伸張率差としては、例えば０．５〜１０％、特に１〜６％とするのが好ましい。
【０１００】
製造ラインで連続的に製造する場合、図示しないが、連続帯状の最外面シート及び内面側シートをそれぞれ連続方向に沿って引張り移送するとともに、最外面シート及び内面側シートのそれぞれに作用する引張力（いわゆるラインドロー）を個別に調整して、最外面シート及び内面側シートのいずれか一方のシートを他方のシートよりも伸張させた状態とし、この状態で最外面シートと内面側シートとを固定した後、例えば最終段階の個々の物品への切り離し時に、製品幅若しくは製品長さに応じた適切な間隔で切り離すことにより最外面シート及び内面側シートの張力を開放させる、といった手法を採用できる。
【０１０１】
固定手段としては、外観変化が少ない点で、ホットメルト接着剤等の接着剤Ｂを用いるのが好ましい。接着剤Ｂは最外面シートＳ１の内面に塗布しても、また内面側シートＳ２の外面に塗布しても良く、さらに必要に応じて両面に塗布することもできる。最外面シートＳ１の素材と内面側シートＳ２の素材とが異なる場合には、接着剤がより透過し難い方のシート、例えば不織布シートと体液不透過性シートとを接着する場合には体液不透過性シートに、接着剤を塗布するのが好ましい。
【０１０２】
接着剤Ｂの塗布パターン、カーテン、スパイラル、サミット（スパイラルの間隔を狭くしたもの）、ベタ、スロット等の適宜のパターンを採用することができるが、ベタのように間隔を空けずに固定部分の全面に塗布するよりも、カーテン（間欠塗布）、スパイラル、サミット、スロットのように間隔を空けて規則的なパターンで接着剤を塗布できるものが好ましい。
【０１０３】
すなわち、間隔を空けて接着剤を付与し、この接着剤により最外面シートＳ１と内面側シートＳ２とを固定した後、最外面シートＳ１及び内面側シートＳ２を開放し、最外面シートＳ１を内面側シートＳ２よりも収縮させると、第１の形態では最外面シートＳ１及び内面側シートＳ２の非接着部分が接着部分よりも外側に膨出し、また第２の形態では最外面シートＳ１の非接着部分が内面側シートから離間して膨らみ、モコモコとした柔軟な凹凸が形成される。
【０１０４】
また、このような間欠接着においては、接着剤の塗布パターンにより皺のパターンが決まる。具体的には、接着剤間隔を調整することで皺及び凹凸のサイズを調整でき、非接着部の数を調整することで皺及び凹凸の数を調整できる。皺及び凹凸の形状、サイズ、数は適宜定めることができるが、製造容易性を考慮すると、接着部分を、物品の前後方向に連続させて且つ物品の幅方向に所定の間隔ｄを空けて複数列設けるか、または物品の幅方向に連続させて且つ物品の前後幅方向に所定の間隔ｄを空けて複数列設けるのが好ましい。この間隔ｄは、適宜定めることができるが、通常の場合、１〜１０ｍｍとするのが好ましい。
【０１０５】
また、特に第１の形態においては、内面側シートＳ２の皺を最外面シートＳ１を通して視認できるように構成する。具体的には、最外面シートＳ１の不透明度（ＪＩＳ Ｐ ８１４９）を３０〜８０％とするのが好ましい。また、最外面シートＳ１の素材が不織布である場合、その坪量を１０〜４０ｇ／ｍ2程度、特に１５〜２５ｇ／ｍ2としても同様である。
【０１０６】
ところで、前述した弾性伸縮部材１２Ｃを有する部分では、その収縮力により外装シート１２に皺が形成される。外装シート１２は最外面シートＳ１を含むものであるため、この弾性伸縮部材１２Ｃを有する部分に、本発明の凹凸または皺を設けることもでき、その場合、よりモコモコとした外観及び触感を得ることができる。これに対して、弾性伸縮部材１２Ｃにより皺が形成される部分には本発明の凹凸または皺を設けずに、それ以外の部分に本発明の凹凸または皺を設けることもできる。この場合、弾性伸縮部材１２Ｃを有する部分において、よりすっきりとした外観となる。
【０１０７】
この説明からも明らかなように、本発明の凹凸又は皺は、最外面シート及び内面側シートが重なる部分の全体に設けることも、また一部に設けることもできる。これは、最外面シートと内面側シートとが同寸法の場合（例えば、バックシート１２Ａが二層構造とされており、その外側のシート及び内側のシートをそれぞれ本発明の最外面シート及び内面側シートとする場合）であっても、また、最外面シートと内面側シートのいずれか一方が小さい場合（バックシート１２Ａの積層数に関係なくその全体を本発明の最外面シートとし、その内面が固定される体液不透過性シート７０を本発明の内面側シートとする場合）であっても同じである。
【０１０８】
他方、特に前述したテープ式使い捨ておむつのように、ファスニング片１３０のフック要素１３０を不織布積層体からなるバックシート１２Ａの外面繊維に係合させる形態において、係合箇所を含めて前述の本発明の凹凸等形成加工を適用する場合、係合箇所におけるフック要素の剥離に対する耐久性を相対的に高くなるように補強するのが好ましい。この補強手段としては、本発明では、最外面シート及び内面側シート間を接着する前述の接着剤Ｂを利用する形態と、別途ヒートエンボス加工を施す形態が提案される。
【０１０９】
以下、順に説明すると、先ず、接着剤Ｂを利用する形態は、接着剤Ｂの塗布パターンおよび塗布量の少なくとも一方を、フック要素の係合箇所と非係合箇所とで異ならしめることにより、係合箇所における耐久性を相対的に向上させるものである。塗布パターンとしては、例えばスパイラル、サミット、スロット等から選択でき、塗布量は例えば係合箇所のみ二重に塗布して塗布量を増加させるといったことができる。製造容易性の観点からは塗布パターンを係合箇所および非係合箇所で共通にし、塗布量を異ならしめるのが好ましい。塗布量の目安としては、係合箇所５ｇ／ｍ2以上、非係合箇所２．５ｇ／ｍ2未満である。
【０１１０】
また、塗布量だけでなく、接着剤Ｂの塗布パターン、寸法および総接着面積も重要である。係合箇所における接着剤Ｂの塗布パターンとしては、物品前後方向または幅方向に連続する接着線が所定の間隔で複数列設けられたパターン、あるいは点状の接着点が散点状に設けられたパターンが製造容易性の観点から好適であり、この場合、係合箇所における総接着面積が９０％以上１００％未満であり、かつ係合箇所における接着線の線幅（一本）が０．１〜３ｍｍ、または係合箇所における接着点の面積（一点）が０．０５〜５ｍｍ2であるのが好ましい。総接着面積が少な過ぎると耐久性の向上が困難となり、係合箇所における線幅または点面積が狭過ぎると、総塗布面積や塗布量に関係なく耐久性の向上が困難となり、線幅または点面積が広過ぎると、凹凸等形成加工が困難になる、風合いが悪化し易くなる。特に好ましい範囲は、総接着面積は９５〜９７％であり、接着線幅は１〜２ｍｍであり、接着点の面積は２〜４ｍｍ2である。
【０１１１】
次に、ヒートエンボス加工を施す形態は、本発明の凹凸等形成加工の後、最外面シートの外面側からヒートエンボス加工を施すものである。例えば、バックシート１２Ａが二層構造とされており、その外側のシート及び内側のシートをそれぞれ本発明の最外面シート及び内面側シートとする場合にあっては、これらの積層後、吸収性本体等の内装部品の取り付け前に、ヒートエンボス加工を施すことができる。また、バックシート１２Ａの積層数に関係なくその全体を本発明の最外面シートとし、その内面が固定される体液不透過性シート７０を本発明の内面側シートとする場合にあっては、全ての部品を組み立てた後に、ヒートエンボス加工を施すことができる。ヒートエンボス加工は、対象シートを加熱したエンボスロールに圧接することにより、対象シートに凹凸模様を付与するものであり、最外面シートにおける繊維の圧密化や、繊維相互の融着や内面側シートとの融着により耐久性をさせることができる。また、係合箇所にヒートエンボス加工を施すと、周囲に対して外観上の差異ができるため、係合箇所の表示手段を兼ねることができる。この場合等、必要に応じて、前述したターゲット印刷やターゲット印刷シート７４を省略することができる。
【０１１２】
ここで、本発明の係合箇所は、背側及び腹側のうちファスニング片１３０を有する側と反対側にあり、且つフック要素が係合される限り、その位置及び寸法は任意に定めることができる。通常の場合、係合箇所は、高さ２０〜８０ｍｍ、幅１５０〜３００ｍｍの矩形範囲とし、その上端縁とウエスト開口部との高さ方向離間距離を０〜６０ｍｍ、特に２０〜５０ｍｍとし、かつ製品の幅方向中央とするのが好ましい。
【産業上の利用可能性】
【０１１３】
本発明は、紙おむつ、生理用ナプキン、失禁パッド、おむつカバーと併用する吸収パッド等の吸収性物品に好適なものである。
【図面の簡単な説明】
【０１１４】
【図１】パンツ型使い捨ておむつの斜視図である。
【図２】パンツ型使い捨ておむつの展開状態平面図である。
【図３】図２の３−３線断面図である。
【図４】他の例の断面図である。
【図５】別の例の断面図である。
【図６】変形例の断面図である。
【図７】他の例の断面図である。
【図８】テープ式使い捨ておむつの展開状態平面図である。
【図９】図８の９−９線断面図である。
【図１０】別のテープ式使い捨ておむつの展開状態平面図である。
【図１１】図１０の９−９線断面図である。
【図１２】第１の形態を示す要部拡大断面図である。
【図１３】第２の形態を示す要部拡大断面図である。
【符号の説明】
【０１１５】
１０…パンツ型使い捨ておむつ、１０Ａ…テープ式使い捨ておむつ、１２…外装シート、１２Ａ…バックシート、２０…吸収性本体、３０…トップシート、４０…中間シート、５０…吸収要素、５２…フィラメント、５２Ｘ…ベール、５２Ｙ…トウ、５２Ｚ…フィラメントの集合体、５４…高吸収性ポリマー粒子、５６…吸収体、５８…包被シート、６０、６０Ａ…バリヤーカフス、６４…バリヤーシート、７０…体液不透過性シート、７２…第２体液不透過性シート、８０…保持シート、Ｅ…熱融着部分、Ｓ１…最外面シート、Ｓ２…内面側シート。